(57)【要約】【課題】著作権保護されていない個人で生成したコンテンツを、ネットワーク接続された複数のＡＶ装置で共有する場合に、不正コピーを容易に防止する環境を実現する。【解決手段】自装置の記録メモリに格納したコンテンツをネットワーク上の他の装置との間で共有可能な記録再生装置（ホームサーバ）に、個人用のコンテンツを生成するＡＶ装置であるか否かを判断して機器登録する手段と、該ＡＶ装置からコピーしたコンテンツは他のコンテンツと区別して記録する手段とを備える。そして、ネットワーク上の他のＡＶ装置から該コンテンツの送信要求を受信した場合は、該コンテンツをコピー禁止のコピー制御情報を付加してネットワーク上に出力する。これにより、個人用コンテンツの不正コピーを簡単に防ぐことができる。【選択図】  図１
2006209275.tif 000002
【特許請求の範囲】
【請求項１】
デジタル入出力端子を備え、ネットワークを介して他の装置へコンテンツや制御データを出力するコンテンツの配信装置であって、
前記デジタル入出力端子を介してコンテンツまたは制御データを前記他の装置との間で送受信するインタフェース手段と、
前記コンテンツを記録するための記録メモリと、
前記記録メモリ上に前記コンテンツを記録する記録手段と、
前記ネットワークを介して接続した他の装置について、個人用のコンテンツを生成する装置であるか否かを判断して登録する機器登録手段と、
前記インタフェース手段を用いて受信したコンテンツを上記記録手段を用いて記録する際に、前記機器登録手段を用いて登録された内容を参照し、該コンテンツの配信元の装置が個人用のコンテンツを生成する装置であるか否かを判断して管理するコンテンツ管理手段と、を備え、
前記インタフェース手段を介して前記他の装置から前記記録メモリに記録した個人用のコンテンツに対して配信要求を受信した際に、該コンテンツに対してコピー禁止を示すコピー制御情報を付加し、必要であれば暗号化して出力することを特徴とする個人用コンテンツの配信装置。
【請求項２】
請求項１記載の個人用コンテンツの配信装置において、
前記機器登録手段は、個人用コンテンツを生成する装置であると判断した装置に対してユーザが任意に暗証番号を設定可能な手段を備え、前記個人用コンテンツを前記他の装置に配信する際に、ユーザによって入力された暗証番号と前記機器登録手段で管理している暗証番号とが一致した場合は、該コンテンツに対して付加したコピー禁止のコピー制御情報を解除することを特徴とする個人用コンテンツの配信装置。
【請求項３】
請求項１記載の個人用コンテンツの配信装置において、
前記記録メモリ上に、ネットワーク経由で他の装置と共有するコンテンツを格納する共有領域と、前記個人用コンテンツを格納する専用領域とを作成し、前記個人用のコンテンツを生成する装置から該個人用コンテンツをコピーする場合は、該共有領域へコピー禁止を示すコピー制御情報を付加して記録し、また該専用領域へそのまま記録することを特徴とする個人用コンテンツの配信装置。
【請求項４】
デジタル入出力端子を備え、ネットワークを介して他の装置へコンテンツや制御データを出力するコンテンツの配信装置であって、
前記デジタル入出力端子を介してコンテンツまたは制御データを前記他の装置との間で送受信するインタフェース手段と、
個人用のコンテンツを生成する個人用コンテンツ生成手段と、
前記個人用コンテンツを記録するための記録メモリと、
前記記録メモリ上に前記コンテンツを記録する記録手段と、
前記ネットワークを介して接続した他の装置について、前記記録メモリに格納した個人用コンテンツの送信先の装置であるか否かを判断して登録する機器登録手段と、を備え、
前記機器登録手段を用いて登録した装置に対して前記インタフェース手段を用いて前記個人用コンテンツを送信する際に、該送信先の装置がネットワーク上の他の装置と該コンテンツを共有することが可能であるか否かを判断し、共有が可能な装置であれば該コンテンツに対してコピー禁止を示すコピー制御情報を付加し、必要であれば暗号化して出力することを特徴とする個人用コンテンツの配信装置。
【請求項５】
デジタル入出力端子を備え、ネットワークを介して他の装置へコンテンツや制御データを出力するコンテンツの配信装置であって、
前記デジタル入出力端子を介してコンテンツまたは制御データを前記他の装置との間で送受信するインタフェース手段と、
個人用のコンテンツを生成する個人用コンテンツ生成手段と、
前記個人用コンテンツを記録するための記録メモリと、
前記記録メモリ上に前記コンテンツを記録する記録手段と、
ユーザが任意に前記記録メモリ上に記録する前記コンテンツに対してコピー制御情報を付加するか否かを設定するコピー制御切り替え手段と、を備え、
前記個人用コンテンツ生成手段を用いてユーザが生成した個人用コンテンツを、前記記録手段を用いて前記記録メモリに記録する際、コピー制御切り替え手段を用いてユーザは必要に応じて該コンテンツに対してコピー禁止を示すコピー制御情報を付加するか否かを設定すること特徴とする個人用コンテンツの配信装置。
【発明の詳細な説明】
【技術分野】
【０００１】
本発明は、ネットワークシステム上でのデータ共有方法に関するものであり、特に、ストリームや静止画を記録再生する記録再生装置を用いてユーザが私的に生成したコンテンツを、該ネットワーク上の装置にコピーして複数の装置と共有する際に、該ネットワーク上の装置でのコピー制限方法に関するものである。
【背景技術】
【０００２】
近年デジタル映像信号処理技術の発展に伴い、デジタル放送を受信するデジタル放送受信機、デジタル放送番組を録画・再生するデジタルＶＴＲやディスクレコーダ、デジタルカメラ等のデジタルＡＶ装置が次々と製品化されている。最近では、ハードディスクドライブ（ＨＤＤ）を用いて放送番組を記録するいわゆるＨＤＤレコーダのような記録再生装置も製品化され、ＨＤＤの大容量化と普及が急速に進んでいる。
それに伴い、これらデジタルＡＶ装置間でリモート制御やコンテンツの共有を実現するために、Ｅｔｈｅｒｎｅｔ（登録商標）、ＩＥＥＥ１３９４、ＩＥＥＥ８０２．１１などのデジタルインターフェースを用いてネットワーク接続が可能なデジタルＡＶ装置の開発が進んでいる。
【０００３】
一方、これらのデジタルＡＶ装置はデジタル方式で記録や再生を行うため、本質的に信号品質の劣化が無く、オリジナルと同一のコピーが容易に生成可能であり、著作権に抵触する可能性がある。このような不正コピーを防止する技術としてＤＴＣＰ（Ｄｉｇｉｔａｌ  Ｔｒａｎｓｍｉｓｓｉｏｎ  Ｃｏｎｔｅｎｔｓ Ｐｒｏｔｅｃｔｉｏｎ）方式がＩＥＥＥ１３９４で採用されている。ＤＴＣＰ方式では映像音声ストリームにコピーに関する条件を記載したコピー制御情報が付与されており、これによって"copy free"（コピー無制限）、"copy never"（コピー禁止）、"copy one generation"（コピー１回可）の３つに区分する。
デジタルＶＴＲなどの記録装置では"copy free"または"copy one generation"のストリームのみを受信して記録することができ、"copy one generation"のストリームを記録した場合にはコピー制御情報を"no more copies"（コピー不可）に変更し、それ以上他の記録装置などによって記録することを禁止している。この方式をＥｔｈｅｒｎｅｔ（登録商標）で使用するためのＤＴＣＰ−ＩＰ（DTCP over IP）方式の規格化も進められている。
【０００４】
このような状況下で、家庭内では、大容量のＨＤＤレコーダをホームサーバとし、他のＡＶ装置との間を有線／無線ネットワークで接続することにより、該ＨＤＤレコーダに記録した放送番組を他のＡＶ装置でも視聴できるような環境が整いつつある。
上記コピー制御情報を付加する技術としては、例えば特開２００３−２２４７９４号公報や特開２００３−２８８２４７号公報に記載されているものがある。
【０００５】
【特許文献１】特開２００３−２２４７９４号公報
【特許文献２】特開２００３−２８８２４７号公報
【発明の開示】
【発明が解決しようとする課題】
【０００６】
ここで、デジタル放送番組や映画などのリッチコンテンツには、予め放送事業者やコンテンツ供給元から必要に応じて前述のコピー制御情報が付加されている。したがって、前記ＨＤＤレコーダに記録した放送番組やセットしたＤＶＤなどのコンテンツをネットワーク経由で他のＡＶ装置から視聴する場合でも、該コピー制御情報に従って適切に不正コピーを防止することが可能となる。
しかし、デジタルカメラやデジタルムービーなどを用いてユーザが個人的に記録／作成したコンテンツの場合、通常それらに対してユーザが簡単にコピー制御情報を付与することはできない。
そのため、該コンテンツをそのまま前記ＨＤＤレコーダに記録すると、ネットワーク経由で他のＡＶ装置からの視聴が可能となるが、同時に無制限にコピーを作成することも可能となる。ＡＶ装置のネットワーク化が進むと、宅外からのアクセスや携帯可能なＡＶ装置の持ち込みにより、他のユーザが容易に該コンテンツを許可なくコピーするなど、様々な予期せぬ状況が想定される。したがって、ホームサーバとして使用可能なＡＶ装置に対しては、個人的なコンテンツに対しても特別な配慮が必要になる。
本発明の目的は、ネットワーク上のＡＶ装置で個人用のコンテンツを共有することができ、同時に容易にコピー防止することができる機能を備えた記録再生装置を提供することにある。
【課題を解決するための手段】
【０００７】
上記目的を達成するため本発明では、以下の手段を備える。
(1) 自装置の記録メモリに格納したコンテンツをネットワーク上の他の装置との間で共有可能な記録再生装置（ホームサーバとして動作可能なＡＶ装置）に、個人用のコンテンツを生成するＡＶ装置であるか否かを判断して機器登録する手段と、該ＡＶ装置からコピーしたコンテンツは他のコンテンツと区別して記録する手段とを備える。そして、ネットワーク上の他のＡＶ装置から該コンテンツの送信要求を受信した場合は、該コンテンツをコピー禁止のコピー制御情報を付加してネットワーク上に出力する。これにより、通常の放送番組と同様の方法で、個人用コンテンツの不正コピーを簡単に防ぐことができる。
(2) 上記記録再生装置の記録メモリ内に共有領域と個人用コンテンツを格納する専用領域を生成する手段を備え、個人用のコンテンツを生成するＡＶ装置として登録済みのＡＶ装置から上記記録再生装置へ個人用のコンテンツをコピーする場合には、該共有領域に対してコピー禁止のコピー制御情報を付加して記録し、該専用領域に対してはそのまま記録する。そして、ネットワーク上の他のＡＶ装置からは該共有領域内のコンテンツのみアクセス可能とする。
(3) 個人用のコンテンツを生成する記録再生装置でコンテンツを記録する際に、設定画面やボタンの切り替えによって、該コンテンツにコピー禁止のコピー制限情報を付加する。
(4) 個人用のコンテンツを生成する記録再生装置で、予め個人用のコンテンツをコピー禁止として登録する必要があるか否かを判断して機器登録する手段と、機器登録したＡＶ装置に対して該個人用のコンテンツを送信する場合には、コピー禁止のコピー制限情報を付加する。
【発明の効果】
【０００８】
本発明によれば、個人用のコンテンツを容易にコピー防止することができる安全なシステムを提供することができる。
【発明を実施するための最良の形態】
【０００９】
以下、本発明の実施形態について図面を用いて説明する。
図１は本発明を説明するための一実施例であり、記録再生装置を含む複数のＡＶ装置をネットワーク接続したＡＶシステムの構成を示したものである。該ＡＶシステムは、ホームサーバ１００、デジタルカメラ／ムービー２００、テレビ３００、パソコン（ＰＣ）３１０、ＨＤＤ内蔵テレビ３２０が互いに有線／無線（以下、ネットワーク）１０によりデジタル接続されているものとする。
【００１０】
ホームサーバ１００は、アンテナで受信した放送番組をネットワーク１０経由で他のＡＶ装置（テレビ３００、ＰＣ３１０、ＨＤＤ内蔵テレビ３２０）へ配信することができ、内蔵した記録メモリに該放送番組を蓄積してタイムシフト再生することも可能である。また、デジタルカメラ／ムービー２００で撮影したコンテンツをネットワーク１０経由で、あるいは着脱可能な記録メディア２０をホームサーバ１００に直接セットしてホームサーバ１００内蔵の記録メモリに蓄積することにより、他のＡＶ装置との間で該コンテンツを共有することができる。さらに、他のＡＶ装置に対してネットワーク１０を介して制御コマンドの送受信を行うことができる。
デジタルカメラ／ムービー２００は、ユーザが撮影したコンテンツを着脱可能な記録メディア２０や内蔵の記録メモリに記録し、内蔵モニタや外付けのモニタで再生することができる。
テレビ３００、ＰＣ３１０、ＨＤＤ内蔵テレビ３２０は、ネットワーク１０経由で受信した放送番組や個人データをモニタ画面に再生することができ、ＰＣ３１０、ＨＤＤ内蔵テレビ３２０は該放送番組や個人データを内蔵の記録メモリに記録することができる。
【００１１】
次に、図２を用いて、図１のホームサーバ１００の一構成について説明する。
ホームサーバ１００は、チューナ処理部１０１、デスクランブラ１０２、デマルチプレクサ１０３、デコーダ１０４、入力処理部１０５、タイマー管理部１０６、登録機器管理部１０７、記録／再生処理部１０８、記録メモリ１０９、エンコード１１０、デジタルＩ／Ｆ１１１、制御部１１２、アナログ出力端子１１３、アナログ入力端子１１４、デジタル入出力端子１１５から構成されている。
チューナ処理部１０１は、放送局から受信した複数のチャンネルから所望のチャンネルを選局し、デジタル変調された番組を復調する部分である。
デスクランブラ１０２は、サービス事業者と契約したチャンネルのみを受信可能とするためにかけられている放送番組のスクランブルを解除する部分である。
デマルチプレクサ１０３は、放送番組から音声データ、映像データを抽出する部分である。
【００１２】
デコーダ１０４は、圧縮された音声データや映像データを復号して、元の音声信号、映像信号に伸長する部分である。これらの信号は、アナログ出力端子１１１を介してモニタ３０等の外部へ出力することができる。
入力処理部１０５は、リモコンやタッチパネルなどを利用してユーザがホームサーバ１００を操作する部分である。タイマー管理部１０６は、現在の時間情報や放送番組のタイマー予約を格納／管理する部分である。登録機器管理部１０７は、ネットワーク１０接続した全てのあるいは一部のＡＶ装置に関する情報を生成／格納し、ユーザ操作やネットワーク構成の変化等により必要に応じて内容を更新／削除する部分である。
【００１３】
記録／再生処理部１０８は、受信した放送番組や他のＡＶ装置から受信したコンテンツを記録メモリ１０９に記録するための記録制御と、該記録メモリ１０９に記録した放送番組やコンテンツを再生するための再生制御を行う部分である。
記録メモリ１０９は、受信した放送番組や他のＡＶ装置から受信したコンテンツを記録するメモリである。ＨＤＤなどの磁気ディスクや光ディスク、メモリカード、そしてこれらを組み合わせたハイブリッド形態などが考えられる。
【００１４】
エンコーダ１１０は、アナログ入力端子１１４から受信した音声信号、映像信号を圧縮してデジタル形式に変換する部分である。変換したデジタルデータは、記録メモリ１０９に格納することができる。
デジタルＩ／Ｆ１１１は、デジタル入出力端子１１５を介してネットワーク１０接続した他のＡＶ装置との間でコンテンツや制御コマンドを送受信する部分であり、必要に応じて送信するコンテンツの暗号化や暗号化されたコンテンツの復号化も行う。
制御部１１２は、ホームサーバ１００における各部の動作を統括的に制御する部分である。
【００１５】
次に、図３を用いて、ホームサーバ１００内の登録機器管理部１０７で管理する登録機器データ４００の一構成について説明する。
登録機器データ４００は、登録機器ＩＤ４０１、登録機器の名称４０２、メーカー名４０３、登録機器の製品カテゴリ４０４、個人属性４０５、パスワード４０６から構成する。
登録機器ＩＤ４０１は、ネットワーク１０接続した登録対象のＡＶ装置を識別するための唯一の識別子である。該ＡＶ装置のＩＰアドレスやＭＡＣアドレス、装置固有の番号を利用、あるいはそれらを使用して新規に番号を生成する方法がある。登録機器の名称４０２は、登録対象のＡＶ装置の名称を示し、登録時にネットワーク１０経由でＡＶ装置から取得、あるいはユーザが任意に設定することができる。メーカー名４０３は、登録対象のＡＶ装置の製造元名称を示し、登録時にネットワーク１０経由でＡＶ装置から取得する。
【００１６】
製品カテゴリ４０４は、登録対象のＡＶ装置の種別を示し、登録時にネットワーク１０経由でＡＶ装置から取得、あるいはユーザが任意に設定することができる。個人属性４０５は、登録対象のＡＶ装置がユーザの個人的なコンテンツを生成する装置であるか否かを示し、該属性が設定されている場合には該ＡＶ装置から受信したコンテンツは自動的に個人データとして認識し、放送番組とは区別する。この設定は、登録時にネットワーク１０経由でＡＶ装置から取得、あるいはユーザが任意に設定することができる。パスワード４０６は、前記個人属性４０５を設定した際にユーザが任意で設定できる暗証番号である。
【００１７】
本実施例のホームサーバ１００内の登録機器データ４００では、登録機器ＩＤ＝０としてテレビ３００、登録機器ＩＤ＝１としてＰＣ３１０、登録機器ＩＤ＝２としてＨＤＤ内蔵テレビ３２０、登録機器ＩＤ＝３としてデジタルカメラ／ムービー２００が登録されているものとする。
【００１８】
次に、図４を用いて、ホームサーバ１００内の記録メモリ１０９に記録するコンテンツの管理データ５００の一構成について説明する。
コンテンツ管理データ５００は、コンテンツＩＤ５０１、コンテンツの名称５０２、保存場所５０３、記録元機器ＩＤ５０４、コピー制限５０５、記録属性５０６から構成する。
コンテンツＩＤ５０１は、前記記録メモリ１０９に記録したコンテンツを識別するための唯一の識別子であり、ホームサーバ１００が任意に設定する。名称５０２は、記録したコンテンツの名称を示す。放送番組の場合は番組名、個人データの場合はファイル名が利用できる。ユーザが任意に設定しても良い。保存場所５０３は、記録メモリ上におけるコンテンツの格納場所を示す。
【００１９】
記録元機器ＩＤ５０４は、コンテンツを配信したＡＶ装置を識別するための唯一の識別子である。ホームサーバ１００で受信した放送番組の場合は「自機器」、他のＡＶ装置から受信したコンテンツの場合は前記登録機器ＩＤ４０１と同様の該ＡＶ装置の識別子を設定する。
コピー制限５０５は、記録したコンテンツにコピー制限情報（例えば、コピー無制限、コピー禁止）が設定されているか否かを示す。記録属性５０６は、コンテンツの記録日時や記録モード（ハイビジョンモードや標準モードなど）を含む各種情報を示す。
【００２０】
次に、図１に示したＡＶシステムのうち、前述した登録機器データ４００、コンテンツ管理データ５００を格納したホームサーバ１００が、ネットワーク１０上の他のＡＶ装置に対して、デジタルカメラ／ムービー２００で撮影した個人データを配信する手順について以下記述する。
前提として、ユーザがＨＤＤ内蔵テレビ３２０を用いて、ホームサーバ１００に格納したコンテンツを視聴する場合を想定する。
【００２１】
最初に、ユーザはリモコンやタッチパネルなどの入力手段を用いてＨＤＤ内蔵テレビ３２０上でホームサーバ１００に格納したコンテンツの一覧表示画面を表示する。該コンテンツ一覧表示画面には、ホームサーバ１００のコンテンツ管理データ５００の内、少なくとも名称５０２を含む情報を表示する。ホームサーバ１００からネットワーク１０経由でコンテンツ情報を取得する方法としては、ＩＥＥＥ１３９４で規定された制御コマンドやＵＰｎＰ（Ｕｎｉｖｅｒｓａｌ Ｐｌｕｇ ＆ Ｐｌａｙ）など、既存の方法を用いる。
【００２２】
表示したコンテンツ一覧の中からユーザが「File_3」を選択した場合を想定し、図５を用いて以降の手順について説明する。
ユーザが「File_3」を選択すると、ＨＤＤ内蔵テレビ３２０はホームサーバ１００に対してコンテンツ「File_3」の配信要求を発行する（ステップ６０１）。ネットワーク１０を介してデジタルＩ／Ｆ１１１経由で該配信要求を受信したホームサーバ１００は、記録メモリ１０９に格納したコンテンツ管理データ５００の中からコンテンツ「File_3」を検索する（ステップ６０２）。そして、該コンテンツ管理データ５００内に該コンテンツが存在するか否かを判定し（ステップ６０３）、存在しない場合は、必要に応じて該コンテンツが存在しない旨をネットワーク１０経由でＨＤＤ内蔵テレビ３２０に通知し、処理を終了する（ステップ６０４）。
【００２３】
該コンテンツが存在する場合は、該コンテンツの記録元機器ＩＤ５０４を参照し、登録機器管理部１０７に格納した登録機器データ３００の中から該記録元機器ＩＤ５０４と一致するものを検索する（ステップ６０５）。そして、一致する情報が存在するか否かを判定し（ステップ６０６）、存在しない場合は、登録機器データ３００に登録するための処理に移行する（ステップ６０７）。
【００２４】
前記記録元機器ＩＤ５０４が登録機器データ３００内に存在する場合、コンテンツ管理データ５００内のコピー制限５０５を参照し、該コンテンツにコピー制限情報が付加されているか否かを判定する（ステップ６０８）。そして、コピー制限情報が付加されている（コピー制限５０５が「有」に設定）場合には、ステップ６１０に移行する。
コピー制限情報が付加されていない場合は、登録機器データ３００内の個人属性４０５を参照し、該コンテンツが個人データであるか否かを判定する（ステップ６０９）。その結果、個人データでない場合には、該コンテンツをそのままＨＤＤ内蔵テレビ３２０に対して送信する（ステップ６１１）。
【００２５】
該コンテンツが個人データの場合には、該コンテンツに対して「コピー禁止」のコピー制限情報を付加し（ステップ６１０）、必要に応じて該コンテンツをＤＴＣＰ方式など所定の手順に従って暗号化してＨＤＤ内蔵テレビ３２０に対して送信する（ステップ６１１）。
上記により、該コンテンツを受信するＨＤＤ内蔵テレビ３２０側で、内蔵ＨＤＤに該コンテンツを記録するように指示しても、該コンテンツにはコピー禁止が付加されているため、記録することができない。
ここで、ＨＤＤ内蔵テレビ３２０側で受信した暗号化コンテンツを復号化するための鍵データは、予めホームサーバ１００との間で前述したＤＴＣＰ方式など所定の認証処理を行い、復号化に必要なデータを取得しているものとする。
【００２６】
また、ステップ６０９において、該コンテンツが個人データであることが判明した場合、ホームサーバ１００は、ネットワーク１０を介してＨＤＤ内蔵テレビ３２０に対してパスワード入力要求を発行する。該要求を受信したＨＤＤ内蔵テレビ３２０は、ユーザに対してパスワード入力画面を表示し、入力されたパスワードの内容をホームサーバ１００に返信する。ホームサーバ１００は該パスワードが、登録機器データ４００内のパスワード４０６と一致しているかを判定し、一致していない場合はステップ６１０を実行し、一致している場合はステップ６１１で該コンテンツをそのまま送信する方法もある。
【００２７】
以上述べた様に、ホームサーバ１００に予め個人データを生成するＡＶ装置としてデジタルカメラ／ムービー３２０を登録し、また該デジタルカメラ／ムービー３２０を用いて生成した個人データを該ホームサーバ１００に格納してネットワーク１０経由で他のＡＶ装置と共有する際に、該個人データにコピー禁止のコピー制御情報を付加し、必要に応じて暗号化して送出することにより、他のＡＶ装置による不正コピーを簡単に防ぐことができる。
また、上記の方法では、デジタルカメラ／ムービー３２０からネットワーク１０経由で個人データをホームサーバ１００へ蓄積しているが、デジタルカメラ／ムービー３２０の着脱可能な記録メディア２０を直接ホームサーバ１００にセットして個人データを蓄積することも考えられる。この場合は、デジタルカメラ／ムービー３２０側で該記録メディア２０に記録する際に所定の位置にデジタルカメラ／ムービー３２０の機器ＩＤを記録、あるいはコンテンツの名称に機器ＩＤを使用した名称にするなどすることにより、ホームサーバ１００側でセットされた記録メディア２０上の情報から該機器ＩＤを識別してコンテンツ管理データ５００に格納する方法が挙げられる。
【００２８】
さらに、上記方法では、ホームサーバ１００に格納した個人データを他のＡＶ装置に送出する際にコピー制御情報を付加しているが、個人データをホームサーバ１００に蓄積する際に、放送番組を記録する領域と同じ場所（共有領域）にはコピー制御情報を付加して記録し、同時に個人データを蓄積する専用領域にはそのまま記録する方法も考えられる。この場合、ネットワーク１０上の他のＡＶ装置からは該共有領域に格納したコンテンツのみアクセス可能とし、通常は該専用領域にアクセスできないようにする。該専用領域に対するアクセスは、ホームサーバ１００での使用に限定する、あるいは上記同様にパスワード入力により許可するといった方法がある。
【００２９】
次に、図１のＡＶシステムを用いて、デジタルカメラ／ムービー３２０側で個人データにコピー制御情報を付加する方法について説明する。
まず、図６を用いて、デジタルカメラ／ムービー３２０の一構成について説明する。
デジタルカメラ／ムービー３２０は、映像撮影部２０１、信号処理部２０２、記録メモリ２０３、デコーダ２０４、入力処理部２０５、タイマー管理部２０６、登録機器管理部２０７、記録／再生処理部２０８、デジタルＩ／Ｆ２０９、アナログ出力端子２１０、デジタル入出力端子２１１、制御部２１２から構成されている。
【００３０】
映像撮影部２０１は、撮像素子で動画や静止画の撮像情報を取得する部分である。信号処理部２０２は、映像撮影部２０１からの撮像信号に対して増幅、Ａ／Ｄ変換等の信号処理を行う部分である。
記録メモリ２０３は、撮影したデータを記録するメモリである。内蔵したメモリ、着脱可能なメモリ、そしてこれらを組み合わせた形態が考えられる。
デコーダ２０４は、信号処理部２０２から出力した信号や記録メモリ２０３から読み出した信号を元の音声信号、映像信号に伸長する部分である。
入力処理部２０５は、リモコンやタッチパネルなどを利用してユーザがデジタルカメラ／ムービー２００を操作する部分である。
【００３１】
タイマー管理部２０６は、現在の時間情報を管理する部分である。登録機器管理部２０７は、記録メモリ２０３に記録したコンテンツをコピーする先のＡＶ装置に関する情報を生成／格納し、ユーザ操作やネットワーク構成の変化等により必要に応じて内容を更新／削除する部分である。
記録／再生処理部２０８は、撮影したコンテンツを記録メモリ２０３に記録するための記録制御と、該記録メモリ２０３に記録したコンテンツを再生するための再生制御を行う部分である。
【００３２】
デジタルＩ／Ｆ２０９、アナログ出力端子２１０、デジタル入出力端子２１１については、前記ホームサーバ１００のデジタルＩ／Ｆ１１１、アナログ出力端子１１３、デジタル入出力端子１１５と同様である。
制御部２１２は、デジタルカメラ／ムービー２００における各部の動作を統括的に制御する部分である。
【００３３】
上記のデジタルカメラ／ムービー２００は、記録メモリ２０３に記録したコンテンツを上記ホームサーバ１００へコピーする際、該ホームサーバ１００に関する情報が上記登録機器管理部２０７に登録されている場合には、コピー禁止のコピー制御情報を付加してネットワーク１０上に送出する。登録されていない場合には、そのまま送出する。
【００３４】
上記の登録機器管理部２０７の代わりに、図７に示すように、デジタルカメラ／ムービー２００にコピー制御情報を付加するか否かを切り替えるボタン７００を備え、ユーザがコンテンツ記録時に任意に選択できるようにする方法もある。コピー制御情報を付加するモードに設定すると、コンテンツ記録時に自動的にコピー制御情報が付加され、記録メモリ上にコンテンツと共に記録される。
ボタン７００の代わりに、設定メニューなどで切り替える方法もある。
ここで、本実施例で使用したＡＶシステムではホームサーバ１００の1台だけであったが、該ホームサーバ１００と同様の機能をＰＣ３１０やＨＤＤ内蔵テレビ３２０に組み込む形態も考えられる。また、ＡＶシステムに複数のホームサーバが存在することも可能である。
【００３５】
以上述べたように、本発明によれば、デジタルカメラ／ムービーなどユーザが個人的にコンテンツを生成可能な記録再生装置により記録されたコピー制限されていない個人用のコンテンツを、ホームサーバに格納してネットワーク上の他のＡＶ装置との間共有する場合に、該個人用のコンテンツに対して自動的にコピー禁止のコピー制御情報を付加し、必要に応じて暗号化して送出することにより、該個人用のコンテンツを容易にコピー防止することができる安全なシステムを提供することができる。
【図面の簡単な説明】
【００３６】
【図１】本発明の実施形態であるシステムの一構成例を示す図である。
【図２】本発明の実施形態であるホームサーバの一ブロック構成例を示す図である。
【図３】本発明の実施形態であるホームサーバで管理する登録機器データの一構成例を示す図である。
【図４】本発明の実施形態であるホームサーバで管理するコンテンツ管理データの一構成例を示す図である。
【図５】本発明の実施形態であるホームサーバとＨＤＤ内蔵テレビとの間のコンテンツ配信手順を示す一シーケンス図である。
【図６】本発明の実施形態であるデジタルカメラ／ムービーの一ブロック構成例を示す図である。
【図７】本発明の実施形態であるデジタルカメラ／ムービーの一実装図である。
【符号の説明】
【００３７】
１０…有線／無線ネットワーク
２０…記録メディア
１００…ホームサーバ
２００…デジタルカメラ／ムービー
３２０…ＨＤＤ内蔵テレビ
１０７…登録機器管理部
１０９…番組記録メモリ
４００…登録機器データ
４０５…個人属性
５００…コンテンツ管理データ
５０４…記録元機器ＩＤ
５０５…コピー制限
【図１】
2006209275.tif 000003
【図２】
2006209275.tif 000004
【図３】
2006209275.tif 000005
【図４】
2006209275.tif 000006
【図５】
2006209275.tif 000007
【図６】
2006209275.tif 000008
【図７】
2006209275.tif 000009